(57)【特許請求の範囲】
【請求項１】
上端に開口部を有するプラスチック袋の開口部側を裏返して袋主体側に被せる目安となる位置に透孔を設け、該透孔及びその近辺を通る紐体を中央部が浮き上がるように両端部を前記袋の両脇に止着したことを特徴とする商品収納袋。
【請求項２】
前記紐体が、プラスチック帯であることを特徴とする請求項１に記載の商品収納袋。
【発明の詳細な説明】
【技術分野】
【０００１】
本発明は、お菓子、果物などの商品を袋主体に入れ、該袋主体の口を紐体で閉じると、開口部側がフリルを有する襟まき状に変化するようになっている商品収納袋に関するものである。
【背景技術】
【０００２】
お菓子、果物などの商品を袋主体に入れ、その袋の開口部近くに穴を設け、該穴を横断するように設けたバンドの両端を袋の両端部に止着してなり、該バンドの中心部を前記穴から引出すと、袋の開口部が閉じるとともに、そのバンドが持ち手となるようになっている手提げ袋が、実公昭５３−３２８１７号公報として開示されている。この手提げ袋は、開口部を閉じるためのバンドがそのまま提げ手になるという機能を発揮するようになっている。
【特許文献１】実公昭５３−３２８１７号公報
【発明の開示】
【発明が解決しようとする課題】
【０００３】
しかしながら、上記公報に記載の手提げ袋は、前記バンドを引出す穴が、袋の開口部近くにあることから、該バンドを引くことにより開口部を閉じて袋をきんちゃく状に変化させることが出来たが、人目を惹きつける機能を有するものではなかった。
【０００４】
また、上記公報に記載の手提げ袋は、最終的に手提げとなるバンドは、袋の開口部近くにある穴の内側を横断するものと、外側を横断するものとがあり、前者は、バンドを穴からいったん外に引出して開口部を閉じる必要があるし、後者はバンドを穴から内に窮屈に通して開口部を閉じる必要があり、バンドは引出し難く、引出すのに手間がかかるという問題があった。
【０００５】
本発明は、上記課題を解消するためのもので、その目的とするところは、手提げとなる紐体を引出し易くするとともに、該紐体を引いて袋主体の口を閉じると、袋主体の開口部側がフリルを有する襟まき状（人目を惹きつける）に変化する商品収納袋を提供する。
【課題を解決するための手段】
【０００６】
上記目的を達成するため、本発明は、上端に開口部を有するプラスチック袋の開口部側を裏返して袋主体側に被せる目安となる位置に透孔を設け、該透孔及びその近辺を通る紐体を中央部が浮き上がるように両端部を前記袋の両脇に止着したことを特徴とし、プラスチック袋の開口部側を透孔の位置まで裏返すと、該開口部側が袋主体に被さった状態になるから、該袋主体の口から商品を入れ、袋主体の口部にある透孔より紐体を摘まみ出して上方に引くと、袋主体の口が閉じられると同時に裏返されている開口部側がフリルを有する襟まき状に変化するように構成した。
【０００７】
また、請求項２に記載の発明は、前記紐体が、プラスチック帯であることを特徴とし、紐体をその中央部が浮き上がるように両端部を前記袋の両脇に止着することが容易であると同時に、裏返した開口部側と、これが被っている袋主体の口との間に納まり易くなり、袋主体に商品を入れた後、該透孔より紐体を摘まみ出し易くなるように構成した。
【発明の効果】
【０００８】
本発明によれば、上端に開口部を有するプラスチック袋の開口部側を裏返して袋主体側に被せる目安となる位置に透孔を設け、該透孔及びその近辺を通る紐体を中央部が浮き上がるように両端部を前記袋の両脇に止着したことを特徴としているから、プラスチック袋の開口部側を透孔の位置まで裏返し、袋主体に被さった状態にし、該袋主体の口を開けて商品を入れ、袋主体の口にある透孔より紐体を摘まみ出して上方に引いて口を閉じると、
同時に裏返されている開口部側がフリルを有する襟まき状に変化することとなり、店頭において、人目を惹きつけ易くなり商品の売れ行きに好結果をもたらすという優れた効果を奏するものである。
【０００９】
また、請求項２に記載の発明によれば、前記紐体が、プラスチック帯であることを特徴としているから、紐体をその中央部が浮き上がるように両端部を前記袋の両脇に止着することが容易であるとともに、裏返した開口部側と、これが被っている袋主体との間に納まり易いので透孔より摘まみ出し易くなるなどの優れた効果を奏するものである。
【発明を実施するための最良の形態】
【００１０】
次に、本発明の実施の態様を添付図面に基づいて説明する。図１は透孔と紐体を備えたプラスチック袋の正面図、図２は紐体の止着状態を示すプラスチック袋の平面図、図３はプラスチック袋の開口部側を透孔の位置まで裏返した場合の正面図、図４は裏返した開口部側が被った袋主体の一部切欠斜視図、図５は袋主体に商品を詰め、その口を紐体で閉じたときに開口部側が襟まき状に変化した状態を示す正面図である。
【００１１】
１はプラスチック袋で、該プラスチック袋１は、上端の１個所だけが開口部２になっていればよい。たとえば、１）プラスチックフィルムを２枚重ねし、袋サイズの間隔を空けて多数の縦線と、共通の底線を溶断（溶着）してなる扁平袋であっても、２）プラスチックフィルムを幅方向中央より二つ折りし、両端の重なり縁と底縁の二個所を溶着してなる扁平袋であっても、３）押出機よりチューブ状に押し出したチューブ状フィルムを筒状にカットし、その上部を残して底部を溶着してなる扁平袋であっても、４）袋の両脇及び底部に折り畳み用ヒダを形成し、該ヒダが角筒状に変化する立体袋であっても、５）底部にのみ折り畳み用ヒダを形成し、該ヒダが箱状に変化する自立袋であってもよいが、本願では上記１）の扁平袋を図示している。
【００１２】
前記袋１の表面及び裏面の各１個所には透孔３が設けられている。この透孔３は、前記袋１の巾方向中央であって、開口部２の端縁から深さＡの位置にある。この深さＡは、図３の如く、袋１の開口部側（透孔より上の部分）４を裏返す目安となっている。すなわち、裏返された開口部側４は、袋主体（透孔より下の部分）５に被さる。この被さった開口部側４は、のちに、フリルを有する襟まき状に変化する部分である。
【００１３】
前記透孔３は、図示の例では、巾方向に長い楕円になっているが、これに限定されず、真円、三角や四角などの角形、アレイ状その他の変形形状でもよい。この透孔３は前記扁平袋１を形成した時点で打ち抜き形成される。勿論、扁平袋を形成する前の、フィルムの段階で透孔３を形成してもよい。
【００１４】
前記透孔３の上には、図１の如く、紐体６が跨いでいる。該透孔３を跨いだ紐体６の両端6′は、前記袋１の両脇（縦線）の溶着時に同時に止着される。この場合、袋１の両脇の溶着部は、予め、樹脂シートを裏当てするなどの補強処理しておくこともある。しかして、紐体６の中間部６″は、袋１の表裏面から図２の如く浮いた状態になっている。
【００１５】
したがって、紐体６は、袋１の開口部側４を、深さＡまで裏返して袋主体５の上に被せると、開口部側４と袋主体５との間にそのまま納まった状態になる（図４参照）。この場合、前記紐体６が、プラスチック帯を利用しているときは、開口部側４と袋主体５との間により納まり易くなり、袋主体に商品を入れた後、該透孔より紐体を摘まみ出し易くなる。また、前記紐体６をプラスチック帯で形成すると、紐体６の中間部６″を浮き上がらせ、両端部を前記袋の両脇に止着することが容易となるものである。
【００１６】
しかして、開口部側４が被さっている袋主体５の口５′を、開けてその中に菓子、果物などの商品７を入れ（詰め）、前記紐体６を透孔３から摘まみ出して上方に向けて引っ張ると、図５の如く、袋主体５の口５′がきんちゃく状に閉じられると同時に、被さっている開口部側４がフリルを有する襟まき状に変化することとなる。
【００１７】
前記透孔３からの紐体６の摘まみ出しは、商品収納部側５の外側に被さっている開口部側４の裏側に、片方の手指を入れて紐体６を透孔３より押し出しつつ他方の手指で透孔３より押し出された紐体６を摘まめばよい。
【産業上の利用可能性】
【００１８】
本願の商品収納袋は、開口部側を裏返して袋主体に被せ、お菓子、果物などの商品を袋主体に入れ、該袋主体の口を紐体で閉じると、開口部側がフリルを有する襟まき状に変化するようになっているもので、人目が惹き易い状態で商品の展示ができ、そのまま持って帰れるようになるので、菓子屋、果物屋、スーパーマーケット、デパートなど、産業上広く利用することができるものである。
【図面の簡単な説明】
【００１９】
【図１】透孔と紐体を備えたプラスチック袋の正面図である。
【図２】紐体の止着状態を示すプラスチック袋の平面図である。
【図３】プラスチック袋の開口部側を透孔の位置まで裏返した場合の正面図である。
【図４】裏返した開口部側が被った袋主体の一部切欠斜視図である。
【図５】袋主体に商品を詰め、その口を紐体で閉じたときに開口部側が襟まき状に変化した状態を示す正面図である。
【符号の説明】
【００２０】
１  プラスチック袋
２  開口部
３  透孔
４  開口部側
５  袋主体
５′  口
６  紐体
６′  両端部
６″  中間部
Ａ  深さ
【図１】
0005859337.tif 000002
【図２】
0005859337.tif 000003
【図３】
0005859337.tif 000004
【図４】
0005859337.tif 000005
【図５】
0005859337.tif 000006